(57)【特許請求の範囲】
【請求項１】
ほぼ門形に形成された大中小となる三基の反射板を有してなる音響反射板において、中となる反射板が車輪の介在下に左右で一対となって舞台面に露呈する専用レール上を移動可能とされてなる一方で、小となる反射板は上記の専用レール上を転動する車輪を有すると共に、この反射板に形成されたガイドローラーを上記の中となる反射板に形成されたガイド溝に繋合させることで、小となる反射板が中となる反射板に連れ運動可能に連繋されてなり、上記中となる反射板の上端面および両側の外側に形成されたガイド溝に、上記大となる反射板の内側に保持されているガイドローラーを繋合させることで、大となる反射板が上記の中となる反射板に保持されながらこの中となる反射板に対して移動可能とされてなることを特徴とする音響反射板。
【請求項２】
中となる反射板が適宜の駆動手段で駆動する駆動輪となる車輪を有してなる請求項１に記載の音響反射板。
【請求項３】
中となる反射板が大となる反射板を移動させる適宜の駆動手段を有してなる請求項１に記載の音響反射板。
【請求項４】
小となる反射板が有する車輪が駆動輪とされてなる請求項１に記載の音響反射板。
【発明の詳細な説明】
【０００１】
【発明の属する技術分野】
この発明は、音響反射板に関し、特に、劇場の舞台などに走行可能に設置される音響反射板の改良に関する。
【０００２】
【従来技術とその課題】
劇場の舞台などに走行可能に設置される音響反射板としては、従来から種々の提案があるが、その中で、たとえば、図５および図６に示す音響反射板にあっては、ほぼ門形に形成された大中小となる三基の反射板１，２，３が舞台面Ｓに露呈するそれぞれの専用レールＲ１，Ｒ２，Ｒ３上を走行するとしている。
【０００３】
このとき、各専用レールＲ１，Ｒ２，Ｒ３は、それぞれがいわゆる左右で一対とされていて、舞台の客席Ｇ側から舞台の奥壁Ｗ側に延在されるとしている。
【０００４】
そして、この各専用レールＲ１，Ｒ２，Ｒ３は、各反射板１，２，３の下端部に保持されている車輪１ａ，１ｂ，２ａ，２ｂ，３ａ，３ｂの転動を許容すると共に、図示しないが、不使時にドブ板と称される蓋体で隠蔽されるとしている。
【０００５】
ちなみに、各反射板１，２，３は、図示しないが、それぞれが有する適宜の駆動手段で、すなわち、それぞれに装備されている電動モーターの駆動などで各車輪１ａ，１ｂ，２ａ，２ｂ，３ａ，３ｂの中で駆動輪となる車輪が各専用レールＲ１，Ｒ２，Ｒ３上を転動することで、移動し得るとしている。
【０００６】
そして、各反射板１，２，３は、その不使用時の格納に際して、大となる反射板１の内側に中となる反射板２が収容され、この中となる反射板２の内側に小となる反射板３が収容されるとしている。
【０００７】
さらに、各反射板１，２，３は、周知の構成で自己支持性を保障する所定の機械的強度を有するように、また、所定の音響効果を保障し得るように形成されている。
【０００８】
それゆえ、この音響反射板によれば、舞台で行われる演奏などで発せられる音を客席Ｇ側に効果的に響かせることが可能になると共に、不使用時には、舞台の奥壁Ｗ側に移動させて舞台を他の用途に供することが可能になる。
【０００９】
しかしながら、上記した音響反射板にあっては、各専用レールＲ１，Ｒ２，Ｒ３は、その不使時に蓋体で隠蔽されるとしており、したがって、使用時には、蓋体を撤去する作業が必須になる。
【００１０】
それゆえ、上記した提案にあっては、専用レールの総本数が六本にもなることを勘案すると、蓋体による隠蔽作業も、また、蓋体を撤去する作業も容易ならざる不具合がある。
【００１１】
そして、撤去した蓋体についても、再度使用することを前提にして収納しなければならず、そのため、その収納に際して、たとえば、舞台の袖などを占有する不具合もある。
【００１２】
さらに、音響反射板を撤去した舞台を演劇などに利用する場合には、舞台の蓋体が演劇者の足元を不安定にする要素となることを考慮すると、蓋体の数は少ない程望ましいとも言い得る。
【００１３】
この発明は、このような現状を鑑みて創案されたものであって、舞台に敷設される専用レールの本数を減少させて、蓋体の利用に伴う隠蔽作業や撤去作業における作業量、さらには、蓋体の量を減らし得て、その汎用性の向上を期待するのに最適となる音響反射板を提供することである。
【００１４】
【課題を解決するための手段】
上記した目的を達成するために、この発明の構成を、ほぼ門形に形成された大中小となる三基の反射板を有してなる音響反射板において、中となる反射板が車輪の介在下に左右で一対となって舞台面に露呈する専用レール上を移動可能とされてなる一方で、小となる反射板は上記の専用レール上を転動する車輪を有すると共に、この反射板に形成されたガイドローラーを上記の中となる反射板に形成されたガイド溝に繋合させることで、小となる反射板が中となる反射板に連れ運動可能に連繋されてなり、上記中となる反射板の上端面および両側の外側に形成されたガイド溝に、上記大となる反射板の内側に保持されているガイドローラーを繋合させることで、大となる反射板が上記の中となる反射板に保持されながらこの中となる反射板に対して移動可能とされてなるとする。
【００１５】
それゆえ、舞台には左右で一対となる二本の専用レールが敷設されることで足り、したがって、この専用レールを蓋体で隠蔽する作業およびこの蓋体を撤去する作業における作業量を従来の場合に比較して減らし得ることになる。
【００１６】
そして、上記した構成において、より具体的には、中となる反射板が適宜の駆動手段で駆動する駆動輪となる車輪を有してなるとする。
【００１７】
それゆえ、中となる反射板は、駆動輪となる車輪の転動によって、専用レール上を移動し得ることになる。
【００１８】
また、中となる反射板が大となる反射板を移動させる適宜の駆動手段を有してなるとする。
【００１９】
それゆえ、中となる反射板に保持される大となる反射板における総重量を小さくでき、したがって、大となる反射板の中となる反射板に対する移動を容易にし得ることになる。
【００２０】
さらに、小となる反射板が有する車輪が駆動輪とされてなるとする。
【００２１】
それゆえ、小となる反射板は、駆動輪の駆動で自らが移動し得ることになり、したがって、この小となる反射板が連繋する中となる反射板およびこの中となる反射板が保持する大となる反射板が一体的に移動し得ることになる。
【００２２】
【発明の実施の形態】
以下に、図示する一実施形態に基づいて、この発明を説明するが、この発明による音響反射板にあっても、前記した図５および図６に示す従来の音響反射板と同様に、たとえば、劇場の舞台に設置されて利用される。
【００２３】
そして、この発明による音響反射板にあっても、図１から図４に示すように、従来の音響反射板と同様に、ほぼ門形に形成された大中小となる三基の反射板１，２，３を有してなるとしている。
【００２４】
それゆえ、図示する実施形態において、その構成が前記した従来の音響反射板における場合と同様となる部位については、図中に同一の符号を付するのみとして、要する場合を除き、その詳しい説明を省略し、以下には、この発明において特徴となるところを中心に説明する。
【００２５】
すなわち、まず、この発明による音響反射板にあっては、左右で一対となる専用レールＲ２が舞台に敷設されるとしており、この専用レールＲ２は、中なる反射板２の下端部に保持されている車輪２ａ，２ｂの転動を許容すると共に、小なる反射板３の下端部に保持されている車輪３ａの転動を許容するとしている。
【００２６】
このとき、この専用レールＲ２は、前記した従来の専用レールＲ２と同様に、舞台の客席Ｇ側から舞台の奥壁Ｗ側に延在されており、その利用時には舞台面Ｓに露呈する一方で、図示しないが、不使時にはドブ板と称される蓋体で隠蔽されるとしている。
【００２７】
一方、この発明による音響反射板にあって、小となる反射板３は、中となる反射板２に連れ運動可能に連繋されてなるとしており、大となる反射板１は、中となる反射板２に保持されながらこの中となる反射板２に対して移動可能とされてなるとしている。
【００２８】
それゆえ、この発明による音響反射板を利用するにあっては、前記した従来の音響反射板の場合に六本の専用レールＲ１，Ｒ２，Ｒ３が敷設されたことに比較して、専用レールＲ２が二本となり、したがって、この専用レールＲ２を蓋体で隠蔽する作業およびこの蓋体を撤去する作業における作業量を大幅に減らし得ることになる。
【００２９】
のみならず、この発明による音響反射板を設置するにあっては、二本の専用レールＲ２を敷設するのみで足りるから、従来の音響反射板の場合に六本の専用レールＲ１，Ｒ２，Ｒ３を敷設することに比較して、舞台に対する負荷の低減が可能になり、舞台の構築にあってこれをいたずらに頑丈に形成しないで済む点で有利となる。
【００３０】
ところで、中となる反射板２は、その下端部に前記した専用レールＲ２上を直列しながら転動する車輪２ａ，２ｂを有しているが、この発明では、何れか一方の車輪がこの反射板２に装備された適宜の駆動手段（図示せず）で駆動する駆動輪とされている。
【００３１】
それゆえ、この中となる反射板２は、駆動輪となる車輪２ａあるいは車輪２ｂの転動で専用レールＲ２上を移動し得ることになる。
【００３２】
また、小となる反射板３は、舞台の奥壁Ｗ側となる後側の下端部に前記した専用レールＲ２上を転動する車輪３ａを有しているが、図示するところでは、この車輪３ａは、この反射板３に装備された適宜の駆動手段（図示せず）で駆動する駆動輪とされている。
【００３３】
それゆえ、この駆動輪となる車輪３ａを有する小となる反射板３は、後述するように中となる反射板２に連繋している状態で、専用レールＲ２上を移動し得ることになる。
【００３４】
一方、この小となる反射板３は、中となる反射板２に連れ運動可能に連繋されてなるとするもので、図示するところでは、中となる反射板２がガイド溝２ｃを有する一方で、小なる反射板３がこのガイド溝２ｃに繋合するガイドローラー３ｃを有してなるとしている。
【００３５】
このとき、ガイド溝２ｃは、中となる反射板２において、下端部近傍で小となる反射板３の外側面に対向する内側面に、しかも、この中となる反射板２の移動方向に一致するように、すなわち、前記した専用レールＲ２の敷設方向に沿うように形成されてなるとしている。
【００３６】
そして、ガイドローラー３ｃは、小となる反射板３において、下端部近傍で中となる反射板２の内側面に対向する外側面に、しかも、客席Ｇ側となる前端側に配在されてなるとしている。
【００３７】
それゆえ、このガイドローラー３ｃが上記のガイド溝２ｃに繋合することで、また、小となる反射板３が中となる反射板２に対して連れ運動下に移動可能とされることになる。
【００３８】
つぎに、大となる反射板１は、中となる反射板２に保持されながらこの中となる反射板２に対して移動可能とされてなるとしている。
【００３９】
このとき、大となる反射板１は、中となる反射板２に対して自らが移動し得るように構成されるとしても良いが、図示する実施形態では、中となる反射板２が大となる反射板１をこの中となる反射板２に対して移動させ得るようにする適宜の駆動手段（図示せず）を有してなるとしている。
【００４０】
それゆえ、中となる反射板２に保持される大となる反射板１においては、駆動手段を有しない分総重量を小さくでき、したがって、大となる反射板１の中となる反射板２に対する移動を容易になし得ることになる。
【００４１】
ちなみに、本発明では、図１〜４に示すように、中となる反射板２がその上端面および両側の外側となる下端部近傍にそれぞれガイド溝２ｄ，２ｅを有してなるとし、このガイド溝２ｄ，２ｅに大となる反射板１の内側に保持されているガイドローラー１ｃ，１ｄ，１ｅ，１ｆが繋合することで、大となる反射板１が中となる反射板２にいわゆる移動可能に保持されてなるとしている。
【００４２】
【発明の効果】
以上のように、請求項１の発明によれば、舞台には左右で一対となる二本の専用レールが敷設されることで足り、それゆえ、この専用レールを蓋体で遮蔽する作業およびこの蓋体を撤去する作業における作業量を従来の場合に比較して減らし得ることになる。
【００４３】
のみならず、二本の専用レールを敷設するのみで足りるから、従来の音響反射板の場合に六本の専用レールを敷設することに比較して、舞台に対する負荷の低減が可能になり、舞台の構築にあってこれをいたずらに頑丈に形成しないで済む利点がある。
【００４４】
また、請求項２の発明によれば、中となる反射板が駆動輪となる車輪の転動によって、専用レール上を自らが移動し得ることになり、したがって、この中となる反射板がこれに連繋する小となる反射板およびこの中となる反射板が保持する大となる反射板を移動し得ることになる。
【００４５】
そして、請求項３の発明によれば、中となる反射板に保持される大となる反射板における総重量を小さくでき、したがって、大となる反射板の中となる反射板に対する移動を容易にし得ることになる。
【００４６】
さらに、請求項４の発明によれば、小となる反射板は、駆動輪の駆動で自らが移動し得ることになり、したがって、この小となる反射板と連繋する中となる反射板が小となる反射板と一体的に移動し得ることになり、さらに、この中となる反射板が大となる反射板を保持するから、この中となる反射板と大となる反射板が一体的に移動し得ることになり、結果として、大中小の三基からなる音響反射板が全体で専用レール上を移動し得ことなになる。
【００４７】
その結果、この発明によれば、舞台に敷設されるレールの本数を減少させて、蓋体の利用に伴う隠蔽作業や撤去作業における作業量を減らし得て、その汎用性の向上を期待するのに最適となる。
【図面の簡単な説明】
【図１】この発明の一実施形態による音響反射板における使用状態を示す概略平面図である。
【図２】同じく概略縦断面図である。
【図３】図１の音響反射板における不使用状態を示す概略平面図である。
【図４】同じく概略縦断面図である。
【図５】従来の音響反射板の利用状態および不使用状態を示す概略平面図である。
【図６】同じく概略縦断面図である。
【符号の説明】
１，２，３  反射板
１ｃ，１ｄ，１ｅ，１ｆ，３ｃ  ガイドローラー
２ａ，２ｂ，３  ａ  車輪
２ｃ，２ｄ，２ｅ  ガイド溝
Ｇ  客席
Ｒ２  専用レール
Ｓ  舞台面
Ｗ  奥壁
【図１】
0003926623.tif 000002
【図２】
0003926623.tif 000003
【図３】
0003926623.tif 000004
【図４】
0003926623.tif 000005
【図５】
0003926623.tif 000006
【図６】
0003926623.tif 000007